(57)【要約】【課題】巻物の輸送に際しても、受け具の損傷の生じない巻物ユニットを提供する。【解決手段】円筒状の中芯に帯状または線状の長尺材料を巻回した巻物と、前記巻物を前記中芯の両端で受け止めて前記巻物を宙吊り状態に架設支持する略中央に支持孔を備えた一対の巻物の受け具と、前記中芯の両端および前記支持孔に内嵌し、前記中芯と前記受け具とを連結させて前記巻物を支持する円筒部と鍔部とからなる一対の連結具と、前記巻物、一対の前記受け具および一対の前記連結具にわたって巻き付けられて、これらを一体的に結束する結束バンドと、を少なくとも備えた巻物ユニットであって、前記中芯の内径をｄＢ、前記支持孔の内径をｄＡ、前記連結具の円筒部の鍔部側端の外径をｄＴ、他側端の外径をｄＥとした時に、これらの寸法がｄＴ≧ｄＢ≧ｄＡ＞ｄＥの関係を満たすことを特徴とする。【選択図】図１
2009084002.tif 000002
【特許請求の範囲】
【請求項１】
円筒状の中芯に帯状または線状の長尺材料を巻回した巻物と、
前記巻物を前記中芯の両端で受け止めて前記巻物を宙吊り状態に架設支持する略中央に支持孔を備えた一対の巻物の受け具と、
前記中芯の両端および前記支持孔に内嵌し、前記中芯と前記受け具とを連結させて前記巻物を支持する円筒部と鍔部とからなる一対の連結具と、
前記巻物、一対の前記受け具および一対の前記連結具にわたって巻き付けられて、これらを一体的に結束する結束バンドと、を少なくとも備えた巻物ユニットであって、前記連結具の円筒部は、鍔部側端から他側端にかけてテーパ形状をなしており、前記中芯の内径をｄＢ、前記支持孔の内径をｄＡ、前記連結具の円筒部の鍔部側端の外径をｄＴ、他側端の外径をｄＥとした時に、これらの寸法がｄＴ≧ｄＢ≧ｄＡ＞ｄＥの関係を満たすことを特徴とする巻物ユニット。
【発明の詳細な説明】
【技術分野】
【０００１】
本発明は、シートやフィルム等の帯状材料や、糸やロープ等の線状材料のような長尺材料をロ
ール状やコイル状、ボビン状等に巻回してなる巻物の輸送および保管に好適な巻物ユニットに関する。
【背景技術】
【０００２】
シートやフィルム等の帯状材料や、糸やロープ等の線状材料のような長尺材料は、その輸送時や保管時等において嵩張らないように、これを紙製や金属製や合成樹脂製の中芯にロール状やコイル状、ボビン状等に巻装した巻物として取り扱われる。
【０００３】
前記巻物の輸送方法および保管として、巻物を横向きにして輸送する方法が広く採用されている。具体的には、巻物が特に重量物である場合巻物を痛めることがないように、巻物の製品部分が接地しないように、中芯の両端を受け止めて巻物を宙吊り状態に支持して輸送する方法が一般的に採用されている。
【０００４】
図３乃至図５に輸送の際の、一般的な巻物ユニットの一例を示す。円筒状の中芯２にシート材を巻回した巻物１は、巻物１の両側面に側面形状よりも寸法の大きな弾性材料からなるクッション材１６が当接され、一辺の長さが巻物の巻き径よりも大きな中央部に支持孔１３を備えた略正方形の一対の受け具１２と、円筒部１４ａと鍔部１４ｂとからなる一対の連結具１４とにより、中芯２の両端部が支持孔１３に連結具１４を介して固定され、宙吊り状態に架設支持される。さらに、結束バンド１５が受け具１２および連結具１４にわたって巻き付けられて、これらの部材と巻物１とを一体的に結束し巻物ユニット１０となる。受け具１２の一辺の長さは、巻物１の巻き径より大きいので、巻物の製品部３は、接地することはなく、また、上に別の巻物ユニットを積み重ねた場合でも、別の巻物の製品部と接触しないようになっている。
【０００５】
中芯２の材料としては、巻物の大きさ、重さに応じて、紙、合成樹脂、金属、ゴムなどが使われる。受け具１２の材料としては、やはり巻物の大きさ、重さに応じて、ダンボール加工品、合成樹脂成形品、合成樹脂プレート切削品、木質系成形品、木質系切削加工品、金属加工品などが使われるが、強度、重量、コストの点で木質系切削加工品が使われることが多い。木質系切削加工品とは、木材、合板、パーティクルボード，ＯＳＢ（オリエンテッドストランドボード）、ファイバーボードなどの木質系素材からなるものである。連結具１４の材料としては、合成樹脂成形品が主に使用される。結束バンド１５の材料としては、合成樹脂繊維、金属などが用いられる。このような巻物ユニットの例が特許文献１に示されている。
【０００６】
【特許文献１】特開２００３−２０６０７２号公報
【発明の開示】
【発明が解決しようとする課題】
【０００７】
従来の巻物ユニットに使用される連結具は円筒部の両端の外径が略同じのものが使用されており、支持孔、中芯の内周部への抜き差しが容易に行えるように、その外径寸法が、受け具の支持孔の内径寸法、中芯の内径寸法よりも小さく設計されており、前述したように結束バンドで一体的に結束してあっても、輸送時の振動で、連結具と受け具との間で揺れが生じ、例えば木質系受け具の損傷により製品が接地し損傷する、または損傷部から発生した木くず等の製品への付着などの問題が生じる場合があった。従来技術では、このような課題に十分対処することができず、本発明は、巻物の輸送に際しても、製品や受け具の損傷の生じない巻物ユニットを提供するものである。
【課題を解決するための手段】
【０００８】
本発明者らは、巻物ユニットの各構成部材について鋭意検討した結果、前記受け具、連結具、中芯の各部材間での輸送時の揺れを防止に着目し、構成部材、巻物ユニットを下記の構成とすることにより、前述の目的を達成できることを見いだし本発明をなすにいたった。
【０００９】
すなわち、円筒状の中芯に帯状または線状の長尺材料を巻回した巻物と、
前記巻物を前記中芯の両端で受け止めて前記巻物を宙吊り状態に架設支持する略中央に支持孔を備えた一対の巻物の受け具と、
前記中芯の両端および前記支持孔に内嵌し、前記中芯と前記受け具とを連結させて前記巻物を支持する円筒部と鍔部とからなる一対の連結具と、前記巻物、一対の前記受け具および一対の前記連結具にわたって巻き付けられて、これらを一体的に結束する結束バンドと、を少なくとも備えた巻物ユニットであって、前記連結具の円筒部は、鍔部側端から他側端にかけてテーパ形状をなしており、前記中芯の内径をｄＢ、前記支持孔の内径をｄＡ、前記連結具の円筒部の鍔部側端の外径をｄＴ、他側端の外径をｄＥとした時に、これらの寸法がｄＴ≧ｄＢ≧ｄＡ＞ｄＥの関係を満たすことを特徴とする。
【発明の効果】
【００１０】
受け具の支持孔に挿入され、中芯を支持する円筒部と鍔部とからなる連結具において、前記連結具の円筒部は、鍔部側端から他側端にかけてテーパ形状をなしており、中芯の内径をｄＢ、支持孔の内径をｄＡ、連結具の円筒部の鍔部側端の外径をｄＴ、他側端の外径をｄＥとした時に、これらの寸法がｄＴ≧ｄＢ≧ｄＡ＞ｄＥの関係を満たしているので、連結具の円筒部は支持孔、中芯に内嵌でき、かつ受け具は中芯の端部と連結具の円筒部のテーパとで挟まれて固定されるので、輸送時に受け具の支持孔での連結具の揺れがないため、受け具の損傷が生じない。
【発明を実施するための最良の形態】
【００１１】
前述したように、シートやフィルム等の帯状材料や、糸やロープ等の線状材料のような長尺材料は、その輸送時や保管時等において嵩張らないように巻物として扱われ、受け具で中芯の両端を宙吊り状態に架設支持した巻物ユニットとして取り扱われる。本発明の巻物ユニットも上記の構成からなるが、各部材の形状、寸法関係に特徴がある。
【００１２】
以下、図面に基づいて本発明の巻物ユニットを説明する。
【００１３】
図１に本発明の一例の巻物ユニットの要部断面を示す。本例の巻物ユニット１０は、少なくとも、円筒状の中芯２に製品３である長尺材料を巻回した巻物１と、巻物１の中芯２の両端を受けて支持する一対の板状の受け具１２と、中芯２の内周および受け具１２の略中央部に設けられた支持孔１３に差し込まれる円筒部１４ａと鍔部１４ｂとからなる一対の巻物支持用連結具１４と、巻物１およびこれらの部材を一体的に結束する結束する結束バンド１５と、から構成される。なお、巻物１の両側面に側面形状よりも寸法の大きな弾性材料からなるクッション材１６を製品の側面３と受け具１２の間に挟み込むと製品の巻きズレを防いだり側面３の変形が防げるのでより好ましい。
【００１４】
中芯２は、円筒形状からなり、紙、金属、合成樹脂、ゴムなどの従来公知の材料で構成される。
【００１５】
長尺材料としては、シートやフィルム等の帯状材料や、糸やロープ等の線状材料などが挙げられる。
【００１６】
受け具１２は、略正方形の板状で、略中央に支持孔１３を備える。受け具１２は、巻物１の大きさ、重さに応じて、ダンボール加工品、合成樹脂成形品、木質系成形品、木質系切削加工品、金属加工品、合成樹脂プレート切削品などが使われるが、強度、重量、コストの点で木質系切削加工品が使われることが多い。木質系切削加工品とは、木材、合板、パーティクルボード、ＯＳＢ（オリエンテッドストランドボード）、ファイバーボードなどの木質系素材からなるものである。
【００１７】
連結具１４の材料としては、合成樹脂成形品が好ましく使用され、円筒部１４ａと鍔部１４ｂとからなる。円筒部１４ａの鍔部１４ｂ側端の外径ｄＴは円筒部１４ａの他側端の外径ｄＥより大きくなっており、すなわち鍔部側から他側にかけて径が小さくなるテーパ形状をなしている。本発明の巻物ユニット１０は、この連結具１４の円筒部１４ａの寸法と中芯２の内径ｄＢ、受け具１２の略中央部に設けられた支持孔１３の内径ｄＡとの大小関係に特徴がある。すなわち、前記各部の寸法が、ｄＴ≧ｄＢ≧ｄＡ＞ｄＥの関係を満たすようになっている。円筒部１４ａの鍔部１４ｂと反対側の他側端の外径ｄＥは、中芯２の内径ｄＢより小さいために連結具１４の円筒部１４ａは中芯２の内周部にスムーズに差し込む（内嵌する）ことができる。また、円筒部１４ａの鍔部１４ｂ側端の外径ｄＴは、受け具１２の略中央部に設けられた支持孔１３の内径ｄＡと等しいか大きいために、支持孔１３に連結具１４を嵌め込んだ時に鍔部１４ｂは受け具１２の一方の平面部１２ａとちょうど接触するか接触するに至らない位置で固定される。さらに、中芯２の内径ｄＢは支持孔１３の内径ｄＡと等しいか大きいために、結束バンド１５でこれらの部材を一体に結束した時には、受け具１２の他方の平面部１２ｂは中芯２の端部に押し付けられる。かくして、受け具１２は両面から連結具１４と中芯２とにより押圧固定されるので、輸送時の巻物ユニット１０に揺れがあっても、受け具１２と連結具１４との間に揺れが生じないので受け具１２の支持孔１３の損傷が生じない。
【００１８】
結束バンド１５の材料としては、合成樹脂繊維、金属など強度が大きく可撓性のある従来公知の材料が用いられる。結束バンド１５の掛け方としては、２本のバンドを図４で示すように掛けてもよいし、４本のバンドを上下左右に掛けてもよい（不図示）。また、図１の製品の側面３ａと受け具１２の平面部１２ｂとの間に弾性材料からなるクッション材１６を挟み込みシートの巻きズレを防止する構成としてもよい。さらに、図６に示したような、結束バンド１５が納まる溝を備えた連結具１４を使用すると。輸送中の結束バンドのズレを防ぐことができるので、より好ましい。
【００１９】
図２に従来例の一例の巻物ユニットを示す。従来例では、連結具１４の円筒部１４ａがテーパ状になっておらず、ｄＥ＝ｄＴとなっている。また、ｄＡ＞ｄＴとなっているため、連結具１４と受け具１２が、しっかりと固定できず、輸送中にがたついて、支持孔１３が破損して製品部が接地して損傷する危険性がある。
【図面の簡単な説明】
【００２０】
【図１】本発明の一例の巻物ユニットの要部横断面図である。
【図２】従来の一例の巻物ユニットの要部横断面図である。
【図３】従来の一例の巻物ユニットの構成を示す斜視図である。
【図４】従来の一例の巻物ユニットの外観を示す斜視図である。
【図５】従来の一例の巻物ユニットの構成を示す横断面図である。
【図６】結束バンドのズレのない一例の連結具を示す斜視図である。
【符号の説明】
【００２１】
１    巻物
２    中芯
３    製品（シートなど）
３ａ    製品の側面
１０  巻物ユニット  
１２  受け具
１２ａ  受け具の一方の平面部
１２ｂ  受け具の他方の平面部
１３  支持孔
１４  連結具
１４ａ  円筒部
１４ｂ  鍔部
１５  結束バンド
１６  クッション材
【図１】
2009084002.tif 000003
【図２】
2009084002.tif 000004
【図３】
2009084002.tif 000005
【図４】
2009084002.tif 000006
【図５】
2009084002.tif 000007
【図６】
2009084002.tif 000008